(57)【要約】【課題】  装置や部品などのエッジ部分等に引っ掛かることを抑制することができるコルゲートチューブを提供すること。【解決手段】  長手方向に一筋のスリット２を有し、スリット２から内部に入れ込むようにしてハーネス等を覆って保護するコルゲートチューブ１において、チューブ外周を凹ませて凹部４を形成し、チューブ内部に突出させて設けた突起部３を、長手方向に間隔を設けた位置で円周方向に複数配置し、突起部３は、ハーネス等をチューブ外周から離れたチューブ中央側の位置で突起部上面により支持した。【選択図】        図１
2009005422.tif 000002
【特許請求の範囲】
【請求項１】
長手方向に一筋のスリットを有し、被収容物をスリットから内部に入れ込むことによって被収容物を覆って保護するコルゲートチューブにおいて、
チューブ外周を凹ませて、チューブ内部に突出させて設けた突起部を、長手方向に間隔を設けた位置で円周方向に複数配置した、
ことを特徴とするコルゲートチューブ。
【請求項２】
請求項１に記載のコルゲートチューブにおいて、
前記突起部は、前記被収容物をチューブ外周から離れたチューブ中央側の位置で突起部上面により支持した、
ことを特徴とするコルゲートチューブ。
【請求項３】
請求項１又は請求項２に記載のコルゲートチューブにおいて、
円周方向に隣り合う前記突起部の基端部の間隔を設けて、長手方向の連通部を設けた、
ことを特徴とするコルゲートチューブ。
【請求項４】
請求項１〜請求項３のいずれか１項に記載のコルゲートチューブにおいて、
前記スリットの幅を拡げた開口部を、間隔を空けた複数位置に設けた、
ことを特徴とするコルゲートチューブ。
【請求項５】
請求項１〜請求項４のいずれか１項に記載のコルゲートチューブにおいて、
チューブ端部が密で、チューブ中間が粗となるように、チューブ外周にテープを巻きつけた、
ことを特徴とするコルゲートチューブ。
【請求項６】
請求項１〜請求項５のいずれか１項に記載のコルゲートチューブにおいて、
前記突起部は、略半球面形状である、
ことを特徴とするコルゲートチューブ。
【発明の詳細な説明】
【技術分野】
【０００１】
本発明は、ワイヤハーネス等を被覆し保護するコルゲートチューブの技術分野に属する。
【背景技術】
【０００２】
従来のコルゲートチューブは、チューブの周壁に周方向に形成された溝部と環状突部を交互に有し軸心方向に一条のスリットを有した可撓性のものであり、環状突部の外周面に放射状に所定の間隔をもって複数の突起を設けている（例えば、特許文献１参照。）。
【特許文献１】実開平５−４８５２１号公報（第２−６頁、全図）
【発明の開示】
【発明が解決しようとする課題】
【０００３】
しかしながら、従来のコルゲートチューブにあっては、外周側が凹凸を繰り返す形状になっていて、電線を被覆保護したハーネスを装置や部品などに組み付ける際に、装置や部品などのエッジ部分等に蛇腹の谷部に引っ掛かり、そのまま気付かずにハーネスを組み付けてしまうことにより、コルゲートチューブにハーネスを押し込めるためのスリットにエッジ部分等が食い込み電線を傷めることがあった。
また、装置や部品が車両のような移動体に設置されるものの場合には、移動時の振動により電線とエッジ部分等が擦られ断線やショートを起こすことがあった。
【０００４】
本発明は、上記問題点に着目してなされたもので、その目的とするところは、装置や部品などのエッジ部分等に引っ掛かることを抑制することができるコルゲートチューブを提供することにある。
【課題を解決するための手段】
【０００５】
上記目的を達成するため、本発明では、長手方向に一筋のスリットを有し、被収容物をスリットから内部に入れ込むことによって被収容物を覆って保護するコルゲートチューブにおいて、チューブ外周を凹ませて、チューブ内部に突出させて設けた突起部を、長手方向に間隔を設けた位置で円周方向に複数配置した、ことを特徴とする。
【発明の効果】
【０００６】
よって、請求項１記載の発明にあっては、装置や部品などのエッジ部分等に引っ掛かることを抑制することができる。
【発明を実施するための最良の形態】
【０００７】
以下、本発明のコルゲートチューブを実現する実施の形態を、請求項１，２，３，４，５に係る発明に対応する実施例１と、請求項１，２，３，４，５，６に係る発明に対応する実施例２と、請求項１，２，３，４，５に係る発明に対応する実施例３に基づいて説明する。
【実施例１】
【０００８】
まず、構成を説明する。
図１は実施例１のコルゲートチューブの斜視図である。図２は実施例１のコルゲートチューブの側面図である。図３は図２のＡ−Ａ断面図である。図４は図２のＢ−Ｂ断面図である。図５は図２のＣ−Ｃ断面図である。
実施例１のコルゲートチューブ１は、ワイヤハーネス等を内部空間１１に収容する筒形状であり、長手方向に１つの長いスリット２を有している。
つまり展開すると１枚物になる構造である。
さらに、実施例１のコルゲートチューブ１は、図２〜図４に示すように、等角度間隔の８方向から、内部空間１１にそれぞれ突出させた突起部３を形成している。突起部３の形成は、チューブ外周に凹部４を設けることにより、チューブ肉厚を大きく変更することなく形成する。
【０００９】
また、突起部３は、円柱形状とし、図２〜図４に示すように、円柱形状の上面の外周端が、隣の角度位置の突起部３の円柱形状の上面の外周端と接するか、わずかな隙間しか生じない近接状態となるようにする。
そして、この円周状に配置された８個の突起部３は、図１、図２に示すように、長手方向に所定の間隔で設けるものとする。
【００１０】
図６は実施例１のコルゲートチューブ１の凹部４を省略しスリットの構成を説明する説明側面図である。
実施例１のコルゲートチューブ１では、スリット２の長手方向に適度な間隔で、スリット２の幅を拡げた開口部２１を設ける。
図７は実施例１のコルゲートチューブ１の使用であってテープ５を巻いた状態を示す説明図である。
実施例１のコルゲートチューブ１が内部空間１１に、被収容物であるハーネスを収容した後には、テープ５をコルゲートチューブ１の外周に巻きつける。この際には、図７に示すように、コルゲートチューブ１の端部近傍では、テープ５を密に巻きつけるようにし、中間では粗に巻きつけるようにする。この際、スリット２の開口部２１を避けて巻きつけることが好ましい。また、テープ５を巻きつける場合は、スリット２の開口部２１の配置を、テープの粗密を考慮した配置にすることが好ましい。
【００１１】
作用を説明する。
[引っ掛かりを抑制する作用]
実施例１のコルゲートチューブ１は、従来の蛇腹状のものに比べて可撓性を低くしたものであり、例えば車両の前後方向に沿って配策してある、車両のハーネスを保護するものや、車両ドアやインストパネル内部で、車両の左右方向に長くハーネスを保護する場合など、屈曲させずに１本物として、真っ直ぐに設置したい場合に適している。
【００１２】
実施例１のコルゲートチューブ１では、円周状に配置した凹部４及び突起部３を長手方向の所定間隔で設けることにより、肉厚をほぼ一定な構造にでき、ブロー成形のようにコストを抑制して製造することを可能にする。そして、この複数の凹部４及び突起部３により、屈曲させずに１本物として、真っ直ぐに設置する取り扱いに充分な強度と曲がりにくさを備えることになる。
【００１３】
図１、図２に示すように、実施例１のコルゲートチューブ１は、外周面に円形の凹部４が複数存在するのみであり、全体としては、突形状のない一様な外周面となる。さらに、外周面に設けた凹部４は、円周方向の隣り合うものとの間に外周面があり、接続していない。そのため、設置する装置や部位のエッジ等への引っ掛かりがよく抑制される。
【００１４】
これにより、エッジ等により保護したハーネスの電線が損傷するような状態が生じないようにする。この引っ掛かりの無い構造は、装置や設置位置、例えば車両内への組付けやすさとなり、作業効率の向上に寄与することになる。
【００１５】
実施例１のコルゲートチューブ１では、図３、図４に示すように、チューブ内部に突出した突起部３により、内部に保護するハーネス等の被収容物を外周から間隙を空けた内部位置に保護する。さらに説明すると、円周状に配置した突起部３の上面により、ハーネス等を支持し、この支持を長手方向の所定間隔ごとに行う。
【００１６】
そのため、仮に設置する装置や部位のエッジ等がスリット２から内部へ侵入する取り付けとなった場合であっても、従来よりもエッジ等とハーネスが接触することを抑制している。このことにより、さらに、エッジ等により保護したハーネスの電線が損傷するような状態が生じないようにする。
【００１７】
[通気性等を向上させる作用]
実施例１のコルゲートチューブ１の内部では、図３に示すように突起部３でハーネス等を支持している場合に、突起部３と円周方向の隣りの突起部３との間に空間３１が形成される。
さらに、突起部３を設けていない長手方向の位置では、図５に示すように、支持したハーネス等とチューブ壁面との間に全周方向に空間が形成されることになる。
【００１８】
これによって、ハーネス等を内部に収容した状態であっても、長手方向には、良好な通気性が確保されることになる。そのため、ハーネス等の放熱性は向上する。また、水分等の排出性、結露に対する性能も向上することになる。
このことは、ハーネスの保護状態として非常に好ましいものである。
【００１９】
さらに、実施例１では、設置の際にテープを巻いても、スリット２に設けた複数の開口部２１により、円周方向の通気性等も良好な状態が確保される。また、例えば車両の前後のメンバに沿ってハーネス等を保護するような比較的長いものとなる場合、その中間位置では端部までの距離が長くなることにより通気性がやや低下する。実施例１では、スリット２に設けた複数の開口部２１により、長さが長い場合の中間位置での通気性を良好に確保する。
【００２０】
[組付け性の向上について]
実施例１のコルゲートチューブ１では、ハーネス等を収容した後、外周にテープ５を巻き付け、スリット２が組付け時及びその後に開くことを防止し、且つスリット２から内部へ物が侵入することが無いようにしている。
このテープ５の巻き付けは、図７に示すように端部を密にし、中間を粗にすることにより、端部の形状を強く安定させ、中間では、開口部２１の通気性を充分確保することと形状安定を両立させる。
【００２１】
実施例１のコルゲートチューブでは、外周面に円形の凹部４が複数存在するのみであり、全体としては、突形状のない一様な外周面となる。さらに、外周面に設けた凹部４は、円周方向の隣り合うものとの間に外周面があり、接続していない。そのため、テープ５を巻きつける作業を行う際、非常に作業を行いやすい。
例えば、外周が蛇腹状に凹凸する形状である場合、テープ５を巻きつける際にテープ５の接着面を品質よく貼り合わせることは困難である。この点、実施例１のコルゲートチューブ１は非常に有利である。
【００２２】
効果を説明する。
実施例１のコルゲートチューブにあっては、下記に列挙する効果を得ることができる。
【００２３】
(1)長手方向に一筋のスリット２を有し、スリット２から内部に入れ込むようにしてハーネス等を覆って保護するコルゲートチューブ１において、チューブ外周を凹ませて凹部４を形成し、チューブ内部に突出させて設けた突起部３を、長手方向に間隔を設けた位置で円周方向に複数配置したため、装置や部品などのエッジ部分等に引っ掛かることを抑制することができる。
【００２４】
(2)突起部３は、ハーネス等をチューブ外周から離れたチューブ中央側の位置で突起部上面により支持したため、装置や部品などのエッジ部分等に引っ掛かることをさらに抑制することができる。
【００２５】
(3)周方向に隣り合う突起部３の基端部の間隔を設けて、長手方向の連通部を設けたため、長手方向の通気性を向上させ、良好な状態でハーネス等を保護することができる。
【００２６】
(4)スリット２の幅を拡げた開口部２１を、間隔を空けた複数位置に設けたため、円周方向の通気性を良好に確保でき、コルゲートチューブが長い場合でも通気性を良好に確保できる。
【００２７】
(5)チューブ端部が密で、チューブ中間が粗となるように、チューブ外周にテープ５を巻きつけたため、スリット２が組付け時及びその後に開くことを防止し、且つスリット２から内部へ物が侵入することが無いようにできる。
【実施例２】
【００２８】
実施例２は突起部の形状を略半球形状にした例である。
構成を説明する。
図８は実施例２のコルゲートチューブの断面図である。
実施例２のコルゲートチューブ１では、略半球形状の凹部４１を設けるようにし、これにより略半球形状の突起部３２を設けている。
その他構成は実施例１と同様であるので説明を省略する。
【００２９】
作用を説明する。
実施例２のコルゲートチューブ１では、突起部３２が略半球形状であるため、突起部３２のハーネス等への支持面が常に湾曲面となる。これにより例えば車両のように振動環境に用いられる場合であっても、擦れて不具合を起こすことが無いようにできる。
【００３０】
効果を説明する。
実施例２のコルゲートチューブにあっては、上記(1)〜(5)に加えて、以下の効果を有する。
(6)突起部３２は、略半球面形状であるため、ハーネス等への支持のための接触が常に湾曲面により成されるようにして、ハーネス等をより良好な状態で保護することができる。
その他作用効果は実施例１と同様であるので説明を省略する。
【実施例３】
【００３１】
実施例３のコルゲートチューブは、円周方向に隣り合う突起部の基端の間隔を拡げた例である。
構成を説明する。
図９は実施例３のコルゲートチューブの断面図である。
実施例３では、円周方向に隣り合う突起部３の基端の間隔を拡げている。つまり、実施例３では、円周方向に隣り合う突起部３が接触することなく、所定の間隔を設けるようにする。
その他構成は実施例１と同様であるので説明を省略する。
【００３２】
作用を説明する。
実施例３では、円周方向に隣り合う突起部３の基端の間隔を拡げている。ハーネス等を支持する面積は小さくなるが、ハーネス等が複数を束ねるものの場合には問題なく支持を行うことができる。
突起部３の基端の間隔を拡げることにより、長手方向の通気性をさらに向上させることができる。
【００３３】
効果を説明する。
実施例３のコルゲートチューブにあっては、上記(1),(2),(4),(5)に加えて、以下の効果を有する。
(3)´周方向に隣り合う突起部３の基端部の間隔を、突起部３の間が接触しない所定の間隔となるように設けて、長手方向の連通部を設けたため、長手方向の通気性をさらに向上させ、良好な状態でハーネス等を保護することができる。
【００３４】
以上、本発明のコルゲートチューブを実施例１〜実施例３に基づき説明してきたが、具体的な構成については、これらの実施例に限られるものではなく、特許請求の範囲の各請求項に係る発明の要旨を逸脱しない限り、設計の変更や追加等は許容される。
【００３５】
例えば、実施例では、テープを巻きつけたが、テープを巻きつけることなく装置等に組み付けるものであってもよい。
突起部の形状は、他の形状であってもよく、ハーネス等の支持を充分に行うことができ、成形が容易な形状であることが望ましい。
【図面の簡単な説明】
【００３６】
【図１】実施例１のコルゲートチューブの斜視図である。
【図２】実施例１のコルゲートチューブの側面図である。
【図３】図２のＡ−Ａ断面図である。
【図４】図２のＢ−Ｂ断面図である。
【図５】図２のＣ−Ｃ断面図である。
【図６】実施例１のコルゲートチューブ１の凹部４を省略しスリットの構成を説明する説明側面図である。
【図７】実施例１のコルゲートチューブ１の使用であってテープを巻いた状態を示す説明図である。
【図８】実施例２のコルゲートチューブの断面図である。
【図９】実施例３のコルゲートチューブの断面図である。
【符号の説明】
【００３７】
１  コルゲートチューブ
１１  内部空間
２  スリット
２１  開口部
３  突起部
３１  空間
３２  突起部
４  凹部
４１  凹部
５  テープ
【図１】
2009005422.tif 000003
【図２】
2009005422.tif 000004
【図３】
2009005422.tif 000005
【図４】
2009005422.tif 000006
【図５】
2009005422.tif 000007
【図６】
2009005422.tif 000008
【図７】
2009005422.tif 000009
【図８】
2009005422.tif 000010
【図９】
2009005422.tif 000011